(57)【要約】【課題】  固定するための他の装置を用いずに他の物体に固定でき、かつ、固定状態を電気的に制御可能な携帯端末装置を提供する。【解決手段】  携帯端末装置（１）に、画像を表示可能な表示部（１１）と、表示部（１１）に対して固定の位置に設けられる吸着パッド（１５１）であって、外部に露出する孔（１５１ａ）が形成される吸着パッド（１５１）と、該吸着パッド（１５１）の孔（１５１ａ）内を減圧可能な減圧機構（１５２）と、を含む吸着部（１５）と、吸着パッド（１５１）の孔（１５１ａ）が塞がるように吸着パッド（１５１）に物体が当接した状態において減圧機構（１５２）を動作させることで、吸着パッド（１５１）を該物体に吸着させる制御を行う制御部（１８）と、を設ける。【選択図】      図４
2014064090.tif 000002
【特許請求の範囲】
【請求項１】
画像を表示可能な表示部と、
前記表示部に対して特定の位置に設けられる吸着パッドであって、外部に露出する孔が形成される吸着パッドと、該吸着パッドの孔内を減圧可能な減圧機構と、を含む吸着部と、
前記吸着パッドの孔が塞がるように前記吸着パッドに物体を当接させた状態において前記減圧機構を動作させることで、前記吸着パッドを該物体に吸着させる制御を行う制御部と、を備えることを特徴とする携帯端末装置。
【請求項２】
加速度を検知可能な加速度検知部と、前記吸着パッドの周辺に設けられ、受光量を検知可能な受光量検知部と、を備え、
前記制御部は、
前記加速度検知部による加速度の検知結果が入力され、該加速度の検知結果が所定の動きを示す検知結果であるか否かを判断し、判断の結果、該加速度の検知結果が所定の動きを示す検知結果であるときに、前記受光量検知部を動作させ、
動作させた前記受光量検知部による受光量の検知結果が入力され、該受光量の検知結果が前記吸着パッドの周辺に物体が存在することを示す検知結果であるか否かを判断し、判断の結果、該受光量の検知結果が前記吸着パッドの周辺に物体が存在することを示す検知結果であるときに、前記減圧機構を動作させることを特徴とする請求項１に記載の携帯端末装置。
【請求項３】
ユーザへの報知機能を有する報知部を備え、
前記制御部は、前記減圧機構を動作させてから前記物体への前記吸着パッドの吸着が完了するまで、前記報知部にユーザへの報知を行わせることを特徴とする請求項１または２に記載の携帯端末装置。
【請求項４】
前記制御部は、前記表示部を前記報知部として機能させることを特徴とする請求項３に記載の携帯端末装置。
【発明の詳細な説明】
【技術分野】
【０００１】
本発明は、携帯端末装置に関する。
【背景技術】
【０００２】
スマートフォンやタブレットＰＣ(Personal Computer)などの携帯端末装置は、近年、表示画面が大型化してきており、映画の視聴などの長時間にわたる動画の視聴に用いられる場合がある。このような場合、ユーザの手によって携帯端末装置を支え続けていると、ユーザは疲れてしまう。また、動画を視聴しながら手を使って他の作業を行うこともできない。そこで、携帯端末装置を、家屋の壁などに着脱自在に固定する技術が要求される。
【０００３】
物を壁などに着脱自在に固定する技術の１つとして、特許文献１には、アンテナ取り付け装置が記載されている。特許文献１に記載のアンテナ取り付け装置は、吸盤を備えており、該吸盤によって壁などに吸着可能である。特許文献１に記載のアンテナ取り付け装置によれば、平面アンテナに装着されることによって、該アンテナ取り付け装置を介して、壁などに着脱自在に平面アンテナを固定することができる。
【先行技術文献】
【特許文献】
【０００４】
【特許文献１】特開２０００−２２４１６号公報
【発明の概要】
【発明が解決しようとする課題】
【０００５】
ユーザは、様々な場面において、携帯端末装置を壁などに固定したいと考えることが想定される。したがって、特許文献１の平面アンテナおよびアンテナ取り付け装置のように、固定したい物と固定するための装置とが別体であると、様々な場面に対応するためには、ユーザは常に固定するための装置を持ち運ばねばならず、ユーザに手間が生じてしまう。また、特許文献１に記載のアンテナ取り付け装置のように、吸盤による吸着によって物を固定する装置では、物の固定状態が電気的に制御されているわけではないので、物が安定して固定され続けるか否かの不安がユーザに生じてしまう。
【０００６】
本発明は、上述した課題を解決するためのものであり、固定するための他の装置を用いずに他の物体に固定でき、かつ、固定状態を電気的に制御可能な携帯端末装置を提供することを目的とする。
【課題を解決するための手段】
【０００７】
本発明は、画像を表示可能な表示部と、
前記表示部に対して特定の位置に設けられる吸着パッドであって、外部に露出する孔が形成される吸着パッドと、該吸着パッドの孔内を減圧可能な減圧機構と、を含む吸着部と、
前記吸着パッドの孔が塞がるように前記吸着パッドに物体を当接させた状態において前記減圧機構を動作させることで、前記吸着パッドを該物体に吸着させる制御を行う制御部と、を備えることを特徴とする携帯端末装置である。
【０００８】
また本発明は、加速度を検知可能な加速度検知部と、前記吸着パッドの周辺に設けられ、受光量を検知可能な受光量検知部と、を備え、
前記制御部は、
前記加速度検知部による加速度の検知結果が入力され、該加速度の検知結果が所定の動きを示す検知結果であるか否かを判断し、判断の結果、該加速度の検知結果が所定の動きを示す検知結果であるときに、前記受光量検知部を動作させ、
動作させた前記受光量検知部による受光量の検知結果が入力され、該受光量の検知結果が前記吸着パッドの周辺に物体が存在することを示す検知結果であるか否かを判断し、判断の結果、該受光量の検知結果が前記吸着パッドの周辺に物体が存在することを示す検知結果であるときに、前記減圧機構を動作させることを特徴とする。
【０００９】
また本発明は、ユーザへの報知機能を有する報知部を備え、
前記制御部は、前記減圧機構を動作させてから前記物体への前記吸着パッドの吸着が完了するまで、前記報知部にユーザへの報知を行わせることを特徴とする。
【００１０】
また本発明は、前記制御部は、前記表示部を前記報知部として機能させることを特徴とする。
【発明の効果】
【００１１】
本発明に係る携帯端末装置によれば、制御部は、吸着パッドの孔が塞がるように吸着パッドに物体が当接した状態において減圧機構を動作させることで、吸着パッドを該物体に吸着させる。したがって、他の装置を用いなくても携帯端末装置の表示部を壁などに対して固定可能となり、また、固定状態を電気的に制御可能となる。よって、ユーザは、携帯端末装置の表示部を手軽に壁などに対して固定することができ、かつ、表示部が見えるように固定すれば、固定状態で表示部に表示される画像を安心して閲覧することができる。
【００１２】
また本発明に係る携帯端末装置によれば、制御部は、加速度検知部による加速度の検知結果が所定の動きを示す検知結果であるときに、受光量検知部を動作させ、動作させた受光量検知部による受光量の検知結果が吸着パッドの周辺に物体が存在することを示す検知結果であるときに、減圧機構を動作させる。したがって、ユーザが特殊な操作を行わずとも、携帯端末装置を壁などに近づけて、吸着パッドの孔が塞がるように、かつ、受光量検知部が壁などに対向するように吸着パッドを壁などに当接させることで、携帯端末装置の表示部を壁などに対して固定することが可能になる。
【００１３】
また本発明に係る携帯端末装置によれば、制御部は、減圧機構を動作させてから物体への吸着パッドの吸着が完了するまで、報知部にユーザへの報知を行わせる。よって、ユーザが吸着完了前に携帯端末装置を手放してしまうのを防止することができる。
【００１４】
また本発明に係る携帯端末装置によれば、制御部は、表示部を報知部として機能させる。よって、携帯端末装置に報知用の特別な部品を設ける必要がなくなる。
【図面の簡単な説明】
【００１５】
【図１】携帯端末装置１の正面図である。
【図２】携帯端末装置１の背面図である。
【図３】携帯端末装置１の左側面図である。
【図４】携帯端末装置１の構成を示すブロック図である。
【図５】携帯端末装置１内に設けられる減圧機構１５２の１つの例を示す図である。
【図６】ダイヤフラムポンプ１５４が動作するときの様子を示す図である。
【図７】携帯端末装置１内に設けられる減圧機構１５２の他の例を示す図である。
【図８】ねじりポンプ１５６が動作するときの様子を示す図である。
【図９】２つの吸着パッド１５１に外部の物体が当接している例を示す図である。
【図１０】時刻とＢＶ値との関係を示すグラフである。
【図１１】携帯端末装置１によって行われる動作を示すフローチャートである。
【発明を実施するための形態】
【００１６】
以下に、本発明に係る携帯端末装置１について説明する。図１は、携帯端末装置１の正面図である。図２は、携帯端末装置１の背面図である。図３は、携帯端末装置１の左側面図である。図１〜図３に示すように、携帯端末装置１の外観形状は、正面部１ａおよび背面部１ｂを２つの主面部とする直方体状である。なお、図１に示す携帯端末装置１は、スマートフォンを想定しているが、これに限定されることはなく、タブレットＰＣ(Personal Computer)のような電話機能を備えていない携帯端末装置や、携帯電話などであってもよい。
【００１７】
図４は、携帯端末装置１の構成を示すブロック図である。携帯端末装置１は、表示部１１と、音声出力部１２と、通信部１３と、入力部１４と、吸着部１５と、加速度検知部１６と、受光量検知部１７と、制御部１８とを備える。
【００１８】
表示部１１は、たとえば、液晶ディスプレイ、有機ＥＬ(ElectroLuminescence)ディスプレイ、プラズマディスプレイなどであり、表示画面に画像を表示する。表示部１１は、図１に示すように、携帯端末装置１の正面部１ａ側に固定される。音声出力部１２は、音声を出力するスピーカである。
【００１９】
通信部１３は、通信制御部とアンテナとを含む。通信制御部は、アンテナを介して、電気通信事業者が設置する携帯電話基地局との間で無線通信を行い、電話機能を備える他の端末装置との音声通話を実現させる。また、通信制御部は、アンテナ、電気通信事業者が設置するサーバ装置、およびインターネットを介して、他の端末装置との間でデータの送受信を実現させる。
【００２０】
入力部１４は、タッチパネル、キー、マイクロフォンなどのユーザインタフェースである。入力部１４は、ユーザによる入力操作を受け付け、該入力操作に対応する情報を、制御部１８に入力する。
【００２１】
吸着部１５は、吸着パッド１５１と、減圧機構１５２とを含む。吸着パッド１５１は、可撓性材料から形成される。図２に示すように、吸着パッド１５１には、外部に露出する孔１５１ａが形成される。また、図２に示すように、吸着パッド１５１は、携帯端末装置１の背面部１ｂ側に固定される。したがって、吸着パッド１５１は、表示部１１に対して位置が固定されて設けられることになる。減圧機構１５２は、吸着パッド１５１の孔１５１ａ内を減圧するための機構であり、たとえば、吸着パッド１５１の孔１５１ａと連通する内部空間が形成されるチャンバと、該チャンバ内の空気を外部へ排出するためのポンプとを含む。また、減圧機構１５２は、減圧状態を解除するための減圧状態解除部を含む。
【００２２】
図５に、携帯端末装置１内に設けられる減圧機構１５２の１つの例を示す。図５は、携帯端末装置１の内部を示しており、図１の正面図に対応する。図５に示す携帯端末装置１は、減圧機構１５２として、吸着パッド１５１の孔１５１ａと連通する内部空間が形成されるチャンバ１５３と、該チャンバ１５３内の空気を外部へ排出するためのダイヤフラムポンプ１５４と、吸着パッド１５１の孔１５１ａと連通する内部空間が形成され、シャッタ１５５ａが開くことで外部の空間と連通する減圧状態解除部１５５とを含む。ダイヤフラムポンプ１５４は、チャンバ１５３の一壁部を構成するダイヤフラム１５４ａと、空気の逆流を防ぐ２つの逆止弁１５４ｂと、ダイヤフラム１５４ａを振動させる振動駆動部１５４ｃとを含む。
【００２３】
図６に、ダイヤフラムポンプ１５４が動作するときの様子を示す。図６（ａ）および図６（ｂ）に示すように、ダイヤフラムポンプ１５４は、ダイヤフラム１５４ａが振動駆動部１５４ｃによって振動して動作する。より詳細には、図６（ａ）に示すように、チャンバ１５３の内部空間が大きくなるようにダイヤフラム１５４ａが変形したときに、吸着パッド１５１の孔１５１ａ内の空気がチャンバ１５３に流入し、図６（ｂ）に示すように、チャンバ１５３の内部空間が小さくなるようにダイヤフラム１５４ａが変形したときに、チャンバ１５３内の空気が外部へ排出される。なお、このようにダイヤフラムポンプ１５４が動作しているときは、減圧状態解除部１５５のシャッタ１５５ａは閉じており、減圧状態を解除するときに、シャッタ１５５ａが図６において２点鎖線で示す位置Ｐに移動して開かれる。
【００２４】
図７に、携帯端末装置１内に設けられる減圧機構１５２の他の例を示す。図７は、携帯端末装置１の内部を示しており、図１の正面図に対応する。図７に示す携帯端末装置１は、減圧機構１５２として、吸着パッド１５１の孔１５１ａと連通する内部空間が形成されるチャンバ１５３と、該チャンバ１５３内の空気を外部へ排出するためのねじりポンプ１５６と、吸着パッド１５１の孔１５１ａと連通する内部空間が形成され、シャッタ１５５ａが開くことで外部の空間と連通する減圧状態解除部１５５とを含む。ねじりポンプ１５６は、可撓性材料から形成され、チャンバ１５３の内部空間と連通する空間が形成される筒体１５６ａであって、軸線方向一端部がチャンバ１５３に固定される筒体１５６ａと、空気の逆流を防ぐ２つの逆止弁１５６ｂと、筒体１５６ａの軸線方向他端部を軸線まわりに回転させて筒体１５６ａを該軸線まわりにねじる回転駆動部１５６ｃとを含む。
【００２５】
図８に、ねじりポンプ１５６が動作するときの様子を示す。図８（ａ）および図８（ｂ）に示すように、ねじりポンプ１５６は、筒体１５６ａがねじられた状態とねじられていない状態とが繰り返されて動作する。より詳細には、図８（ａ）に示すように、筒体１５６ａがねじられた状態になるときに、筒体１５６ａ内の空気が外部へ排出され、図８（ｂ）に示すように、筒体１５６ａがねじられた状態からねじられていない状態へ変形したときに、チャンバ１５３内の空気が筒体１５６ａ内に流入する。なお、このようにねじりポンプ１５６が動作しているときは、減圧状態解除部１５５のシャッタ１５５ａは閉じており、減圧状態を解除するときに、シャッタ１５５ａが図８において２点鎖線で示す位置Ｐに移動して開かれる。
【００２６】
ねじりポンプ１５６において、筒体１５６ａは、形状記憶ポリマーから形成されることが好ましい。そして、筒体１５６ａが形状記憶ポリマーから形成される場合、筒体１５６ａの初期形状はねじられた状態であることが好ましい。このように構成することにより、筒体１５６ａがねじられた状態のときの筒体１５６ａの形状がねじるたびに変化することが抑えられ、安定して筒体１５６ａによるポンプ作用を発揮することが可能になる。
【００２７】
上記のように構成される減圧機構１５２を含む吸着部１５によれば、吸着パッド１５１の孔１５１ａが塞がるように吸着パッド１５１に外部の物体が当接した状態において、減圧機構１５２のポンプが動作することで、吸着パッド１５１を該物体に吸着固定することができる。図９に、２つの吸着パッド１５１に外部の物体が当接している例を示す。図９に示す例では、２つの吸着パッド１５１の孔１５１ａが塞がるように、２つの吸着パッド１５１に家屋の壁Ｗが当接している。このような状態において、減圧機構１５２のポンプが動作すると、壁Ｗに対して携帯端末装置１を固定することができる。
【００２８】
なお、携帯端末装置１には、吸着パッド１５１が２つ設けられているが、１つであってもよいし、３つ以上であってもよい。また、吸着パッド１５１の孔１５１ａの大きさは、携帯端末装置１の総重量に応じて適宜設定される。さらに、減圧機構１５２のポンプが動作し、吸着パッド１５１が物体に固定されている状態において、吸着パッド１５１の孔１５１ａ内は、真空状態または真空状態に近い状態となることが好ましい。
【００２９】
加速度検知部１６は、加速度を検知し、検知結果を電気信号として、制御部１８に入力する。携帯端末装置１においては、加速度検知部１６は、正面部１ａに対する法線方向、および、該方向に直交する２方向の、合計３方向の加速度を検知可能に構成される。加速度検知部１６としては、従来公知のスマートフォンなどに設けられる加速度センサを利用することができる。このような加速度センサは、常に動作状態にあることが好ましい。
【００３０】
受光量検知部１７は、図２に示すように、背面部１ｂ側において、吸着パッド１５１の周辺に固定される受光面を有し、該受光面への所定時間あたりの受光量の検知結果を、電気信号として、制御部１８に入力する。受光量検知部１７としては、従来公知のスマートフォンなどに設けられるカメラの撮像素子を利用することができる。受光量検知部１７としてカメラの撮像素子を利用する場合、上記所定時間はカメラのシャッタスピードとなる。
【００３１】
制御部１８は、ＣＰＵ(Central Processing Unit)などの制御演算回路、ＤＤＲ  ＳＤＲＡＭ(Double Data Rate Synchronous Dynamic Random Access Memory)などの揮発性メモリ、および、フラッシュＲＯＭ(Read Only Memory)、ＥＥＰＲＯＭ（登録商標）、ＨＤＤ(Hard Disk Drive)などの不揮発性メモリから構成され、各部１１〜１７を制御する。なお、各部１１〜１７を制御する各ＩＣ(Integrated Circuit)チップを携帯端末装置１に設け、各ＩＣチップ全体を制御部１８としてもよい。
【００３２】
制御部１８は、吸着部１５の減圧機構１５２のポンプを動作させることで、吸着パッド１５１を物体に吸着させる制御を行う。より詳細には、制御部１８は、加速度検知部１６による加速度検知結果が携帯端末装置１の所定の動きを示す加速度検知結果であるか否かを判断し、判断の結果、所定の動きを示す加速度検知結果であるときに、受光量検知部１７を動作させ、動作させた受光量検知部１７による受光量検知結果が吸着パッド１５１の周辺に物体が存在することを示す受光量検知結果であるか否かを判断し、判断の結果、吸着パッド１５１の周辺に物体が存在することを示す受光量検知結果であるときに、減圧機構１５２のポンプを動作させる。
【００３３】
ここで、携帯端末装置１の所定の動きを示す加速度検知結果の１つの例は、たとえば、携帯端末装置１の正面部１ａに対して外方に垂直に進む方向における加速度が所定の加速度閾値を超えるような加速度検知結果である。この加速度検知結果は、たとえば、携帯端末装置１が正面部１ａ側から背面部１ｂ側に向かう方向に移動しており、背面部１ｂ側に設けられる吸着パッド１５１が物体に当接して携帯端末装置１の移動が停止した場合に対応する。また、携帯端末装置１の所定の動きを示す加速度検知結果の他の例は、携帯端末装置１の正面部１ａに対して外方に垂直に進む方向における加速度が所定の第１加速度閾値を超え、その後、携帯端末装置１の背面部１ｂに対して外方に垂直に進む方向における加速度が所定の第２加速度閾値（＜第１加速度閾値）を超えるような加速度検知結果である。この加速度検知結果は、たとえば、携帯端末装置１が正面部１ａ側から背面部１ｂ側に向かう方向に移動して、背面部１ｂ側に設けられる吸着パッド１５１が物体に当接して携帯端末装置１の移動が停止し、その後、携帯端末装置１が該物体へ向かって押し込まれた場合に対応する。
【００３４】
吸着パッド１５１の周辺に物体が存在することを示す受光量検知結果の１つの例は、たとえば、明るさ指標値が所定の明るさ閾値より小さくなるような受光量検知結果である。たとえば、制御部１８は、受光量検知結果が入力されると、該受光量検知結果から明るさ指標値としてＢＶ(Brightness Value)値を算出し、算出したＢＶ値が明るさ閾値よりも小さいときに、減圧機構１５２のポンプを動作させる。また、吸着パッド１５１の周辺に物体が存在することを示す受光量検知結果の他の例は、たとえば、明るさ指標値が所定の明るさ閾値より小さく、かつ、明るさ指標値が所定の明るさ増減範囲内において推移するような受光量検知結果である。たとえば、制御部１８は、受光量検知結果についてポーリングを行い、一定時間（たとえば１／３秒間）ごとにＢＶ値を算出し、算出したＢＶ値、および、１回前〜ｎ（ｎは所定の自然数）−１回前に算出した各ＢＶ値が、ｎ回前に算出したＢＶ値に対して明るさ増減範囲内であるときに、減圧機構１５２のポンプを動作させる。
【００３５】
後者の例について詳細に説明する。図１０は、時刻とＢＶ値との関係を示すグラフである。図１０において、時刻Ｔ０において制御部１８により算出されたＢＶ値は明るさ閾値ＢＶ０よりも大きく、時刻Ｔ１〜時刻Ｔ５において制御部１８により算出されたＢＶ値は明るさ閾値ＢＶ０よりも小さいとする。また、時刻Ｔ３〜時刻Ｔ５において制御部１８により算出されたＢＶ値は同一であるとする。ｎ＝２であるとすると、時刻Ｔ５のときに算出されたＢＶ値、および、１回前に算出されたＢＶ値（時刻Ｔ４のときに算出されたＢＶ値）は、２回前に算出されたＢＶ値（時刻Ｔ３のときに算出されたＢＶ値）と同一であり、当然、２回前に算出されたＢＶ値に対して明るさ増減範囲内となる。よって、時刻Ｔ５において、制御部１８は減圧機構１５２のポンプを動作させることになる。
【００３６】
このように構成される携帯端末装置１によって行われる動作を、フローチャートとして図１１に示す。ステップＳ１では、加速度検知部１６が、加速度を検知し、加速度検知結果を制御部１８に入力して、ステップＳ２へ進む。ステップＳ２では、制御部１８が、ステップＳ１で入力された加速度検知結果は携帯端末装置１の所定の動きを示す加速度検知結果（所定の加速度検知結果）であるか否かを判定する。ステップＳ１で入力された加速度検知結果が所定の加速度検知結果であればステップＳ３へ進み、ステップＳ１で入力された加速度検知結果が所定の加速度検知結果でなければステップＳ１へ戻る。
【００３７】
ステップＳ３では、制御部１８が、受光量検知部１７を動作させ、ステップＳ４へ進む。ステップＳ４では、受光量検知部１７が、受光量を検知し、受光量検知結果を制御部１８に入力して、ステップＳ５へ進む。ステップＳ５では、制御部１８が、ステップＳ４で入力された受光量検知結果は吸着パッド１５１の周辺に物体が存在することを示す受光量検知結果（所定の受光量検知結果）であるか否かを判定する。ステップＳ４で入力された受光量検知結果が所定の受光量検知結果であればステップＳ６へ進み、ステップＳ４で入力された受光量検知結果が所定の受光量検知結果でなければステップＳ７へ進む。
【００３８】
ステップＳ７では、制御部１８が、ステップＳ３において受光量検知部１７を動作させてから一定時間経過したか否かを判定する。受光量検知部１７を動作させてから一定時間経過していればステップＳ８へ進み、受光量検知部１７を動作させてから一定時間経過していなければステップＳ４へ戻る。
【００３９】
ステップＳ８では、制御部１８が、受光量検知部１７の動作を停止させ、ステップＳ１へ戻る。ステップＳ６では、制御部１８が、受光量検知部１７の動作を停止させ、ステップＳ９へ進む。ステップＳ９では、制御部１８が、減圧機構１５２のポンプを動作させて、吸着を開始させる。
【００４０】
制御部１８は、吸着を開始させてから所定時間経過後に吸着完了と判断して、減圧機構１５２のポンプの動作を停止させる。なお、制御部１８は、ポンプの駆動部（振動駆動部１５４ｃや回転駆動部１５６ｃ）が駆動限界となったときに、吸着完了と判断してもよい。
【００４１】
また、吸着パッド１５１の孔１５１ａ内と連通する内部空間に気圧検知部を設け、該気圧検知部による気圧の検知結果が所定の第１気圧閾値よりも小さくなったときに吸着完了と判断するように、制御部１８を構成してもよい。このように構成される場合、制御部１８は、気圧検知部による気圧の検知結果についてポーリングを行って、検知結果が所定の第２気圧閾値（＞第１気圧閾値）を超えたときに、再度、ポンプを動作させて吸着を開始させることが好ましい。
【００４２】
以上のように動作する携帯端末装置１によれば、他の装置を用いなくても携帯端末装置１の表示部１１を壁などに対して固定可能となり、また、固定状態を電気的に制御可能となる。よって、ユーザは、携帯端末装置１の表示部１１を手軽に壁などに対して固定することができ、かつ、表示部１１が見えるように適切な位置に固定すれば、固定状態で表示部１１に表示される画像を安心して閲覧することができる。
【００４３】
また、携帯端末装置１によれば、加速度検知部１６による加速度検知結果が所定の加速度検知結果であるときには、制御部１８によって、自動的に受光量検知部１７が動作し、動作した受光量検知部１７による受光量検知結果が所定の受光量検知結果であるときには、制御部１８によって、自動的に減圧機構１５２のポンプが動作し、吸着が開始される。したがって、ユーザが特殊な操作を行わずとも、携帯端末装置１を壁などに近づけて、吸着パッド１５１の孔１５１ａが塞がるように、かつ、受光量検知部１７の受光面が壁などに対向するように吸着パッド１５１を壁などに当接させることで、携帯端末装置１の表示部１１を壁などに対して自動的に固定することが可能になる。
【００４４】
なお、携帯端末装置１は、手動でも吸着動作を開始できるように構成されることが好ましい。たとえば、携帯端末装置１のキーまたは表示画面上のアイコンへのタッチ入力操作や、マイクロフォンを介した音声入力操作によって、減圧指示コードが制御部１８に入力され、その結果、制御部１８によって減圧機構１５２のポンプが動作するように構成する。このように構成することで、たとえば透明な窓ガラスなどに携帯端末装置１を固定しようとする場合のように、受光量検知部１７による受光量検知結果が所定の受光量検知結果になり難い場合に、ポンプを確実に動作させて吸着固定することができる。
【００４５】
また、減圧機構１５２の減圧状態解除部を動作させて、固定状態を解除する場合も、手動で行われる。この場合、たとえば、携帯端末装置１のキーまたは表示画面上のアイコンへのタッチ入力操作や、マイクロフォンを介した音声入力操作によって、減圧状態解除指示コードが制御部１８に入力され、その結果、制御部１８によって減圧機構１５２の減圧状態解除部が動作する。そして、制御部１８は、減圧状態解除部の動作を開始させてから所定時間経過後に減圧状態解除完了と判断して、減圧状態解除部の動作を停止させる。たとえば、制御部１８は、ユーザからの入力操作によって、シャッタ１５５ａを開き、所定時間経過後に、シャッタ１５５ａを閉じる。
【００４６】
上述したように、透明な窓ガラスなどに携帯端末装置１を固定しようとする場合、受光量検知部１７による受光量検知結果が所定の受光量検知結果にならず、吸着動作が自動的に行われない場合がある。そこで、透明な窓ガラスなどに携帯端末装置１を固定しようとする場合であっても自動的に吸着動作が行われるように、携帯端末装置１に、外部へ向けて青色光を出射する青色ＬＥＤ(Light Emitting Diode)を設けてもよい。このように構成される場合、受光量検知部１７は、青色ＬＥＤに物体が近接したときに該物体による青色光の反射光を検知できる位置に設けられる。青色光は波長が短く、透明な窓ガラスなどにおいても充分に反射光が生じるので、受光量検知部１７の青色光受光量検知結果が所定の青色光受光量閾値を超えるような受光量検知結果を、吸着パッド１５１の周辺に物体が存在することを示す受光量検知結果とすれば、透明な窓ガラスなどに携帯端末装置１を固定しようとする場合であっても自動的に吸着動作が行われるようにすることができる。なお、青色ＬＥＤは、常時動作するのではなく、受光量検知部と同じタイミングで動作することが好ましい。
【００４７】
携帯端末装置１は、制御部１８によって減圧機構が動作して吸着が開始されてから、該制御部１８が吸着完了と判断するまで、ユーザに対して、吸着動作中であることを報知することが好ましい。報知に関しては、報知用の特別な部品、たとえばＬＥＤなどを設けなくても済むように、表示部１１や音声出力部１２を利用することが好ましい。表示部１１や音声出力部１２を利用する場合、制御部１８は、表示部１１や音声出力部１２に、吸着動作中であることを示すメッセージを出力させる。
【００４８】
このように、吸着動作中であることを報知することで、吸着完了前にユーザが携帯端末装置１を手放してしまうのを防止することができる。なお、制御部１８は、減圧状態解除中であるときには減圧状態解除中であることを示すメッセージを、吸着完了済であるときには吸着完了済であることを示すメッセージを、それぞれ、表示部１１や音声出力部１２によって出力させることが好ましい。また、吸着パッド１５１の孔１５１ａ内と連通する内部空間に気圧検知部が設けられる場合において、該気圧検知部の検知結果が第２気圧閾値を超えたときには、制御部１８は、気圧の上昇を示すメッセージを、表示部１１や音声出力部１２によって出力させることが好ましい。
【符号の説明】
【００４９】
１  携帯端末装置
１１  表示部
１２  音声出力部
１３  通信部
１４  入力部
１５  吸着部
１６  加速度検知部
１７  受光量検知部
１８  制御部
１５１  吸着パッド
１５１ａ  孔
１５２  減圧機構
【図１】
2014064090.tif 000003
【図２】
2014064090.tif 000004
【図３】
2014064090.tif 000005
【図４】
2014064090.tif 000006
【図５】
2014064090.tif 000007
【図６】
2014064090.tif 000008
【図７】
2014064090.tif 000009
【図８】
2014064090.tif 000010
【図９】
2014064090.tif 000011
【図１０】
2014064090.tif 000012
【図１１】
2014064090.tif 000013